(57)【要約】      （修正有）【課題】導光部材を小型化・薄型化しつつ、外的衝撃が加えられても導光部材が外を防止可能な携帯電子機器を提供する。【解決手段】取付部の可撓固定部３１８は、被取付体４００の第２の被当接部４５２の一端が弾性に抗して当接可能で、第２の被当接部４５２と第２の当接部３２５とが当接状態にあるときに第２の被当接部４５２の一部を固定し、被取付体４００は、第２の被当接部４５２と第２の当接部３２５が当接状態にあるとき第１の被当接部４５１は第１の当接部３２１と当接状態にある。【選択図】図１６
2010232937.tif 000002
【特許請求の範囲】
【請求項１】
筐体と、
前記筐体に取り付け可能な被取付体と、
前記筐体に形成され、前記被取付体が取り付け可能な取付部と、を有し、
前記筐体は、
内外部を連通するように形成された開口部を有し、
前記取付部は、
前記筐体の外部側に前記開口部に隣接して形成された第１の当接部と、
前記筐体の内部に前記第１の当接部と反対方向であって前記開口部に形成された第２の当接部と、
前記第２の当接部に形成され、前記被取付体の一端部を固定可能な弾性を有する可撓固定部を含み、
前記被取付体は、
前記開口部を挿通可能な主体部と、
前記主体部の一側部の一端部に第１の外側方向に延設された第１の当接部に当接可能な第１の被当接部と、
前記主体部の前記一側部と対向する他側部の、前記一端部と対向する他端部に前記第１の外側方向と逆方向の第２の外側方向に延設された前記第２の当接部に当接可能な第２の被当接部と、を含み、
前記取付部の可撓固定部は、
前記被取付体の前記第２の被当接部の一端が前記弾性に抗して当接可能で、前記第２の被当接部と前記第２の当接部とが当接状態にあるときに前記第２の被当接部の一部を固定し、
前記被取付体は、
前記第２の被当接部と前記第２の当接部が当接状態にあるとき前記第１の被当接部は前記第１の当接部と当接状態にある
携帯電子機器。
【請求項２】
前記主体部と前記第２の被当接部とが結合する部分には第１の面取部が形成されており、
前記開口部と前記第２の当接部とが結合する部分には第３の面取部が形成されている
請求項１に記載の携帯電子機器。
【請求項３】
前記第２の被当接部の前記第２の当接部と接する面の主体部とは反対方向位置には、第２の面取部が形成されており、
前記可撓固定部が被取付体と接する部分とは反対側の面の前記開口部側の部分には、第４の面取部が形成されており、
前記第２の面取部及び前記第４の面取部は、前記被取付体が前記取付部に取り付けられる際に、前記可撓固定部が前記開口部と反対方向に変形させる
請求項１又は２に記載の携帯電子機器。
【請求項４】
前記被取付体が前記取付部に取り付けられた際に、前記筐体の外部表面と前記被取付体の外部表面とが面一面となる
請求項１〜３いずれか１項に記載の携帯電子機器。
【請求項５】
前記筐体は内部に発光部材を有しており、
前記被取付体は導光作用を持つ部材によって構成されている
請求項１〜４いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
現在、携帯用電子機器は、筐体にインジケータを配置して、これを点灯等することによってユーザに情報を通知している。
特許文献１には、電話の着信及び電子メールの着信等の情報をユーザに通知するためのインジケータを配置することが行われている。
また、このインジケータによる表示は、携帯電話機内部に配置された発光部材を発光させ、導光部を通じて携帯電話機の外部にこの光を照射することによってなされている。
そして、ケースに突起を形成して、この係止部材によってこの導光部材をケースに固定している。
【先行技術文献】
【特許文献】
【０００３】
【特許文献１】特開平７―２７３８４６号公報
【発明の概要】
【発明が解決しようとする課題】
【０００４】
しかし、特許文献１の導光部材は外部から取り付けているため導光部材が小型化・薄型化すると、突起係りが小さくなってしまう。そうすると、外的衝撃が加えられると容易に導光部材が外れてしまうという問題点があった。
【０００５】
本発明の目的は、導光部材を小型化・薄型化しつつ、外的衝撃が加えられても導光部材の外れを防止可能な携帯電子機器を提供することである。
【課題を解決するための手段】
【０００６】
本発明の携帯電子機器は、筐体と、前記筐体に取り付け可能な被取付体と、前記筐体に形成され、前記被取付体が取り付け可能な取付部と、を有し、前記筐体は、内外部を連通するように形成された開口部を有し、前記取付部は、前記筐体の外部側に前記開口部に隣接して形成された第１の当接部と、前記筐体の内部に前記第１の当接部と反対方向であって前記開口部に形成された第２の当接部と、前記第２の当接部に形成され、前記被取付体の一端部を固定可能な弾性を有する可撓固定部を含み、前記被取付体は、前記開口部を挿通可能な主体部と、前記主体部の一側部の一端部に第１の外側方向に延設された第１の当接部に当接可能な第１の被当接部と、前記主体部の前記一側部と対向する他側部の、前記一端部と対向する他端部に前記第１の外側方向と逆方向の第２の外側方向に延設された前記第２の当接部に当接可能な第２の被当接部と、を含み、前記取付部の可撓固定部は、前記被取付体の前記第２の被当接部の一端が前記弾性に抗して当接可能で、前記第２の被当接部と前記第２の当接部とが当接状態にあるときに前記第２の被当接部の一部を固定し、前記被取付体は、前記第２の被当接部と前記第２の当接部が当接状態にあるとき前記第１の被当接部は前記第１の当接部と当接状態にある。
【０００７】
好適には、前記主体部と前記第２の被当接部とが結合する部分には第１の面取部が形成されており、前記開口部と前記第２の当接部とが結合する部分には第３の面取部が形成されている。
【０００８】
好適には、前記第２の被当接部の前記第２の当接部と接する面の主体部とは反対方向位置には、第２の面取部が形成されており、前記可撓固定部が被取付体と接する部分とは反対側の面の前記開口部側の部分には、第４の面取部が形成されており、前記第２の面取部及び前記第４の面取部は、被取付体が取付部に取り付けられる際に、可撓固定部が開口部と反対方向に変形させる。
【０００９】
好適には、前記被取付体が前記取付部に取り付けられた際に、筐体の外部表面と前記被取付体の外部表面とが面一面となる。
【００１０】
好適には、前記筐体は内部に発光部材を有しており、前記被取付体は導光作用を持つ部材によって構成されている。
【発明の効果】
【００１１】
本発明によると、導光部材を小型化・薄型化しつつ、外的衝撃が加えられても導光部材の外れを防止可能な携帯電子機器を提供することができる。
【図面の簡単な説明】
【００１２】
【図１】本発明の実施形態に係る携帯電話機の外観を開状態で示す斜視図である
【図２】閉状態における携帯電話機の外観斜視図である。
【図３】図２の第１筐体リアケースの背面図である。
【図４】図３の導光部材を固定している部分を拡大した拡大図である。
【図５】図４の導光部材を除去した図である。
【図６】収納部を説明するための説明図である。
【図７】導光部材の外観図である。
【図８】導光部材の正面図、側面図、背面図である。
【図９】図４におけるＸＩＩ−ＸＩＩ及びＸＩＩＩ−ＸＩＩＩにおける断面を説明のために簡略化した図である。
【図１０】導光部材を第１筐体リアケースの収納部にはめ込む方法を説明する説明図である。
【図１１】図１０を表面側方向位置から見た図である。
【図１２】図４におけるＸＩＩ−ＸＩＩ断面の断面図である。
【図１３】図４におけるＸＩＩＩ−ＸＩＩＩ断面の断面図である。
【図１４】導光部材の外観図である。
【図１５】導光部材が取り付けられる収納部の構造を示す説明図である。
【図１６】導光部材を収納部に挿入する様子の説明図である。
【図１７】被取付体を取付部に取り付けた状態の説明図である。
【発明を実施するための形態】
【００１３】
図１は、本発明の実施形態に係る携帯電話機１の外観を開状態で示す斜視図である。
【００１４】
携帯電話機１は、いわゆる折り畳み式の携帯電話機１として構成されており、開状態と閉状態との間で互いに回動可能に連結部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１５】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１６】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１７】
また、第１筐体２において連結部９に向かう方向を結合部方向（図１の第１筐体２においては、紙面下の方向）といい、その逆を結合部反対方向（図１の第１筐体２においては、紙面上方向）という。
同様に、第２筐体３においても、連結部９に向かう方向を結合部方向（図１の第２筐体３においては、紙面上の方向）といい、その逆を結合部反対方向（図１の第２筐体３においては、紙面下の方向）という。
【００１８】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といいい、左側面１２面に向かう方向を左側面方向（図１においては、紙面左の方向）という。
【００１９】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２０】
また、図１のように、第２筐体フロントケース６の表面方向には、入力部１０が配置されている。この入力部１０をユーザが操作することによって、携帯電話機１に命令の入力、文字の入力等がなされる。
【００２１】
図２は、閉状態における携帯電話機１の外観斜視図である。
【００２２】
図２のように、第１筐体リアケース５の短手方向の端部であって、第１筐体２と第２筐体３とを結合する連結部９付近に開口部３１が空けられている。
そして、この開口部３１には導光部材１００の放射部１０１が挿入されている。
この、開口部３１、導光部材１００の放射部１０１及び後述する発光部材３４によってインジケータ機能が果たされる。
後述するが、導光部材１００は、発光部材３４の光を受光し、導光し、放射部１０１から放射する。
この光によって、ユーザに電子メールの着信及び電話の着信の情報を知らせるというインジケータの機能を発揮することがきる。
なお、インジケータ機能によってユーザに通知されるのは、電子メールの着信、電話の着信に限られず、例えば、充電中及び充電完了の通知等がありうる。
【００２３】
図２のように、第１筐体リアケース５は長方形形状を有しており、長さが長い長手方向（図２においては紙面上下方向）と、長さが短い短手方向（図２においては紙面左右方向）とを有する。
【００２４】
図３は、図２の第１筐体リアケース５の背面図である。
【００２５】
図３のように、第１筐体リアケース５の内部には導光部材１００を収納するための収納部２２が配置されている。この収納部２２に導光部材１００を挿入して、導光部材１００を固定している。
第１筐体リアケース５には螺着部１３が４つ配置されており、これに第１筐体フロントケース４を貫通したボルトが螺着される。
【００２６】
第１筐体リアケース５は、平らになっている平面部２４と、その外周部に曲面を形成しているアーチ部２３を有する。
そして、平面部２４からアーチ部２３に変化していく部分に収納部２２は位置している。
【００２７】
図４は、図３の導光部材１００を固定している部分を拡大した拡大図である。
【００２８】
導光部材１００は、収納部２２に収納される。また、導光部材１００の開口部３１には導光部材１００の放射部１０１が挿入されている。
【００２９】
図５は、図４の導光部材１００を除去した図である。
【００３０】
導光部材１００を収納するための収納部２２は、連結部反対側固定部１４、連結部側固定部１５、２つの可撓固定体１８、表面側固定面２１、裏面側固定面２５、等から構成されている。
【００３１】
可撓固定体１８は、表面側固定部分１６及び右側面側固定部分１７から成っている。
右側面方向（図５においては、紙面右の方向）に撓むことが可能である。
【００３２】
図６は、収納部２２を説明するための説明図である。
【００３３】
収納部２２は、大きく分けると、後述する導光部材１００の放射部１０１が挿入される開口部３１と載置部４０とから成っている。
【００３４】
開口部３１は収納部２２の左側面方向位置に位置し、第１筐体リアケース５を貫通している。この開口部３１は収納部２２の中央位置ではなく、結合部反対方向に位置している。また、開口部３１は第１筐体リアケース５内部側からみると、長方形状の形状を有している。
開口部３１は、その左側面方向位置に表面側固定面２１及び面取部３９が設けられている（８（ａ）も参照のこと）。この表面側固定面２１は、裏面側方向を向いており、導光部材１００が表面方向に移動することを拘束している。
開口部３１は、導光部材１００が連結部方向及び連結部反対方向に移動することを拘束している。
【００３５】
載置部４０はその右側面方向位置に可撓固定体１８を２つ有している。
この可撓固定体１８は右側面方向に弾性変形可能であり、導光部材１００が挿入される途中には右側方向位置に弾性変形し、導光部材１００が完全に挿入されると元の状態（図６の状態）に戻ることが可能である。
可撓固定体１８は導光部材１００を右側方向に固定するための右側面側固定部分１７と、導光部材１００を表面方向に固定する表面側固定部分１６を有している。右側面側固定部分１７は表面方向に長い立方体形状を有しており、その右側面側固定部分１７から表面側固定部分１６は右側面方向に張出している（図９も参照のこと）。さらに、表面側固定部分１６はその表面側方向に、導光部材１００が挿入される際に導光部材１００によって押される挿入用面取部４１を有している。挿入用面取部４１は右側面方向かつ裏面方向に傾斜している。
この挿入用面取部４１が押されることによって、可撓固定体１８の特に右側面側固定部分１７が撓んで、表面側固定部分１６が右側面方向に移動する。そして、表面側固定部分１６が右側面方向に移動することによって、導光部材１００が挿入されることが可能となる。
【００３６】
載置部４０は、結合部反対方向位置に連結部反対側固定部１４が配置されている。連結部反対側固定部１４は直方体形状を有している。
【００３７】
載置部４０の連結部方向位置には、連結部側固定部１５が配置されている。この連結部側固定部１５は、導光部材１００を連結部方向に移動しないように拘束する。
【００３８】
載置部４０の中央位置、裏面側固定面２５が配置されている。この裏面側固定面２５は導光部材１００が、裏面方向に移動しないように拘束している。
【００３９】
図７は、導光部材１００の外観図である。
図８は、導光部材１００の正面図、側面図、背面図である。
【００４０】
導光部材１００は、開口部３１に挿入される放射部１０１及び載置部４０に配置される部分から構成されている。
【００４１】
放射部１０１は、導光部材１００から光を放射する放射面１４１を有している。導光部材１００が収納部２２に収納された状態の時には、この放射面１４１が第１筐体リアケース５から露出する。
図７（ｂ）のように、放射部１０１は放射面１４１とは反対側面に導光部内部面１４４を有する。この導光部内部面１４４は導光部材１００が収納部２２に収容された状態において、第１筐体リアケース５の内部側に位置する。
【００４２】
放射部１０１の放射面１４１から続く面には、導光面取部１３９が配置される。
【００４３】
載置部４０に配置される部分は略直方体形状を有する。
そして、図７（ａ）のように、収納部２２に収納された状態において裏面方向を向いた面は、導光部材裏面側固定面１２５を有する。
【００４４】
図７（ｂ）のように、導光部材１００を収納部２２に収納した場合に表面方位を向く面に内部面１４５が配置される。
この内部面１４５の右側面方向位置には表面側固定部分１６と接するための面である導光部材表面側固定部分１１６が２ヵ所配置されている。
なお、内部面１４５に回路基板２０１等を接触させることによって、導光部材１００が表面方向に移動することを防いでいる（図１２参照）。
【００４５】
載置部４０に配置される部分の右側面方向位置には、導光部材１００が右側面方向に移動することを防ぐための導光部材右側面側固定部分１１７が２ヵ所配置されている。
【００４６】
載置部４０に配置される部分の２ヵ所の導光部材右側面側固定部分１１７の間部分には、受光面１１９が配置されている。この受光面１１９によって、導光部材１００は図示しない発光部材３４の光を受光している。
また、導光部材右側面側固定部分１１７部分も発光部材３４の光を受講する役割を有する。
【００４７】
図９は、図４におけるＸＩＩ−ＸＩＩ及びＸＩＩＩ−ＸＩＩＩにおける断面を説明のために簡略化した図である（詳細な断面図は図１２及び図１３を参照のこと）。
【００４８】
図９（ａ）は、放射部１０１が開口部３１に挿入される部分の断面の説明図である。図９（ａ）及び図９（ｂ）のように、導光部材１００は第１筐体リアケース５に固定される。
【００４９】
（表面方向の固定）
導光部材１００が表面方向（図９においては、紙面上の方向）への移動は、以下の２つの接触によって拘束している。
それは、表面側固定面２１と導光部材表面側固定面１２１との接触、及び、表面側固定部分１６と導光部材表面側固定部分１１６との接触である。
【００５０】
（裏面方向の固定）
導光部材１００が裏面方向（図９においては、紙面下の方向）に移動することは、裏面側固定面２５と導光部材裏面側固定面１２５との接触によって拘束している。
【００５１】
（右側面方向の固定）
導光部材１００が右側面方向（図９においては、紙面右の方向）に移動することは、右側面側固定部分１７と導光部材右側面側固定部分１１７との接触によって拘束している。
【００５２】
（結合部反対方向の固定）
導光部材１００が結合部反対方向（図９においては、紙面奥の方向）に移動することは、連結部反対側固定部１４が拘束している。
【００５３】
（結合部方向の固定）
導光部材１００が結合部方向（図９においては、紙面手前の方向）に移動することは、連結部側固定部１５が拘束している。
なお、上記した部材以外であっても、その方向において移動を拘束できるものであれば足りる。
【００５４】
図１０は、導光部材１００を第１筐体リアケース５の収納部２２にはめ込む方法を説明する説明図である。
【００５５】
図１０（ａ）のように、導光部材１００を収納部２２に右側方向かつ表面方向から接近し、導光部材１００の放射部１０１を開口部３１に挿入して図１０（ｂ）の状態とする。
そして、導光部材１００を時計方向に回転させる。具体的には、内部面１４５部分を裏面方向に押し込む。そうすると、導光部材裏面側固定面１２５が可撓固定体１８に形成された挿入用面取部４１と接触する。
挿入用面取部４１は右側面方向かつ裏面方向に傾斜しているのであるから、導光部材裏面側固定面１２５が裏面方向に移動すると、これに伴い、可撓固定体１８の右側面側固定部分１７部分が撓んで、表面側固定部分１６が右側面方向に移動する。
そして、表面側固定部分１６が右側面方向に移動することによって、導光部材１００が挿入され空間が開き、この空間に導光部材１００が押し込まれる。
導光部材１００が完全に押し込まれると、可撓固定体１８は元の状態に復帰する。
そうすると、表面側固定部分１６が内部面１４５を引掛けることになるので、導光部材１００は表面方向に移動することができなくなり、導光部材１００は第１筐体リアケース５の収納部２２に固定される。
なお、導光部材１００側は可撓固定体用面取部１４８を設けていなかったが、図７の様に可撓固定体用面取部１４８を設けると、より容易に可撓固定体１８が右側面方向に移動することから、これを設けたほうが望ましい。
【００５６】
このような組み付け方法は、単に導光部材１００を第１筐体リアケース５側に押し込むだけで、導光部材１００を組付けることを可能とするものである。
そうすると、極めて容易な方法で導光部材１００を組付けることができ、容易に携帯電話機１を組み立てることができるという効果を有する。
また、簡易な方法で導光部材１００を組み付けられるということは、導光部材１００を固定するための複雑な機構を必要としないということをも意味する。そうすると、薄型化・小型化された携帯電話機１であっても、このような機構を採用できるということを意味する。
【００５７】
また、導光部材１００は表面側固定部分１６によって固定されるために、強固に第１筐体リアケース５と係合させることができる。さらに、導光部材１００は回路基板２０１によって表面方向への移動を拘束されるのであるから、導光部材１００を強固に固定することができる。
加えて、導光部材１００は内部側から開口部３１に挿入されるのであるから、万が一、固定部材（特に、可撓固定体１８）による固定が外れるような事態があっても、第１筐体リアケース５から導光部材１００が外れてしまうということがない。
【００５８】
以上のことから、本発明の技術的思想を採用した携帯電話機１は導光部材１００を小型化・薄型化しつつ、外的衝撃が加えられても導光部材１００が外れてしまわないという効果を有することができる。
【００５９】
より好適には、図１０のように、導光部材１００は導光面取部１３９を有し、かつ、第１筐体リアケース５は面取部３９を有するとよい。
このように導光部材１００が導光面取部１３９を有すると、受光面１１９に入射した光を放射面１４１に導光しやすくなるという第１の利点がある。さらに、導光部材１００を組付けることが容易になるという第２の利点がある。
【００６０】
第１の利点が生ずる理由を説明する。
まず、受光面１１９から入射した光は導光通路１４７を通過して放射面１４１から放射される（図１０（ｃ）参照のこと）。
このように導光される場合には、導光通路１４７はより広い方が確実に光を導光することができるので好ましい。さらに、導光通路１４７はただ広いだけではなく、発光部材３４と放射面１４１との間を遮らないことが望ましい。
図１０（ｃ）のように面取りを行うと、導光面取部１３９がない場合と比較して、導光通路１４７を広くすることができる上に、発光部材３４からの光をより遮らない構成とすることができるからである。
【００６１】
第２の利点が生ずるのには、以下の３つの理由がある。
第１の理由について説明する。
まず、何らかの部材を挿入する場合には、挿入される穴部分はできるだけ大きく広い方が容易に挿入することができる。
そうすると、図１０（ａ）のように導光部材１００を開口部３１に挿入する場合においても、その挿入部分である開口部３１はできるだけ広い方が望ましい。
そこで、本発明においては、開口部３１の端部分に面取部３９を設けて開口部３１を大きくしたものである。
これによって、容易に導光部材１００を第１筐体リアケース５に組付けることが可能となる。
第２の理由について説明する。
面取部３９は、開口部３１の方向に向かって傾斜している。そうすると、導光部材１００の組付け時に、導光部材１００が面取部３９と接触した場合であっても、この傾斜があることから導光部材１００は開口部３１に導かれることになる。
これによって、容易に導光部材１００を第１筐体リアケース５に組付けることが可能となる。
第３の理由について説明する。
導光部材１００を組付ける際に、導光部材１００を押し込んで回転をさせることになる（図１０（ｂ）参照）。この際に、面取部３９が無いと導光部材１００の角部１４６が第１筐体リアケース５と接触してしまうおそれがある。
そして、角部１４６があたってしまうと、スムーズに導光部材１００を第１筐体リアケース５とに組み付けることができない。そして接触しているにもかかわらず無理に押し込むと、導光部材１００の表面を傷つけてしまうおそれがあり、最悪、導光部材１００を破損する恐れがある。
一方、面取部３９があると、角部１４６と第１筐体リアケース５との接触を回避することができる。
これによって、導光部材１００を第１筐体リアケース５に組付けることが可能となる。
【００６２】
なお、図１０においては、簡略化のために導光部材１００側は可撓固定体用面取部１４８を設けていなかったが、実際上は設けられている（図７参照のこと）。
【００６３】
図１１は、図１０を表面側方向位置から見た図である。
図１１（ａ）は、図１０（ａ）を表面側方向位置から見た図である。
図１１（ｂ）は、図１０（ｃ）を表面側方向位置から見た図である。
【００６４】
図１２は、図４におけるＸＩＩ−ＸＩＩ断面の断面図である。
【００６５】
図１２のように、第１筐体リアケース５の内部であって導光部材１００の右側面方向には、発光部材３４が配置されている。そして、この発光部材３４が光を照射し、導光部材１００がこの光を外部に照射している。
発光部材３４とは、例えばＬＥＤ（Light Emitting Diode:発光ダイオード）やＯＬＥＤ（Organic light-emitting diode：有機ＥＬ）から構成される。もっとも、これらに限定する趣旨ではなく、光を発光可能なものであればどのようなものであってもよい。
【００６６】
発光部材３４は回路基板２０１に実装されている。この回路基板２０１の表面方向には、インサート板金２０２が埋め込まれた第１筐体フロントケース４が配置されている。
また、第１筐体フロントケース４の表面方向には、液晶パネル２０３を保護するための振動防止ラバー２０６を介して液晶パネル２０３が配置されている。
【００６７】
液晶パネル２０３の表面方向には、内部側方向における表面部分にはウインドウ２０５が配置される。ウインドウ２０５は特殊な表面処理を行ったガラス等によって構成されている。ウインドウ２０５は、液晶パネル２０３をユーザによる引っ掻き等から保護するためのものである。
ウインドウ２０５と液晶パネル２０３の間には、飛散防止フィルム２０４が配置される。万一、ウインドウ２０５が割れた時にその破片が飛散することを防止するためである。
【００６８】
図１３は、図４におけるＸＩＩＩ−ＸＩＩＩ断面の断面図である。
【００６９】
＜変形例＞
上述してきた本発明の実施形態では、具体的な例を用いて説明してきたが、本発明の技術的思想はこれにとどまるものではない。
以下に、本発明の変形例を記載する。
【００７０】
図１４は、導光部材１００を簡略化した図である。
【００７１】
図１４（ａ）は、上述してきた本発明の実施形態における、導光部材１００の外観斜視図である。
この導光部材１００は、図１４（ｂ）のように簡略化することができる。以下、この簡略化された導光部材１００を被取付体４００という。
【００７２】
図１４（ｃ）は図１４（ｂ）におけるＣ−Ｃ断面の断面図である。
図１４（ｃ）のように、被取付体４００は、主体部４５０、第１の被当接部４５１及び第２の被当接部４５２から構成される。
この主体部４５０は、開口部３３１に挿入される部分である。
この主体部４５０の一側部には、第１の被当接部４５１が配置されている。
また、主体部４５０は、第１の被当接部４５１の反対側である他側部に第２の被当接部４５２が配置されている。
第１の被当接部４５１と第２の被当接部４５２は、主体部４５０を挟んで対角線位置に配置されている。
【００７３】
主体部４５０と第２の被当接部４５２との接合部には、第１の面取部４３９が配置されている。
また、第２の被当接部４５２は、第２の面取部４４８が配置されている。
【００７４】
図１５は、収納部２２を簡略化した図である。
【００７５】
収納部２２は図１５（ａ）のように簡略化することができる。
図１５（ｂ）は、図１５（ａ）のｂ−ｂにおける断面図である。
図１５の様に、筐体３０５内には、被取付体４００を取り付けるための取付部３２０が設けられる。
取付部３２０は筐体３０５を貫通して、筐体内外を連通する開口部３３１が配置されている。そして、開口部３３１に隣接し、かつ、開口部３３１とつながっている第１の当接部３２１が配置されている。
また、開口部３３１の第１の当接部３２１とは反対側位置で筐体３０５内部側には、第２の当接部３２５が配置されている。
さらに、開口部３３１からみて第２の当接部方向のさらに遠方位置には、可撓固定部３１８が配置される。この可撓固定部３１８は弾性変形可能に構成され外力によって、開口部３３１とは反対方向に弾性変形し、当該外力が除去されると図１５（ｂ）の状態に復帰可能に構成される。
【００７６】
可撓固定部３１８には、第４の面取部３４１が配置されている。第４の面取部３４１は開口部３３１方向に傾斜している。
第４の面取部３４１があることによって、可撓固定部３１８が開口部３３１とは反対方向に弾性変形しやすくなっている。
【００７７】
また、開口部３３１と第２の当接部３２５との間には第３の面取部３３９が配置されている。被取付体４００が取付部３２０に取り付けられた状態において、この第３の面取部３３９は第１の面取部４３９と対向する。
この第３の面取部３３９があることによって、第１の面取部４３９が収納される空間が確保される。
【００７８】
図１６は、被取付体４００が取付部３２０に取り付けられる様子を説明する説明図である。
【００７９】
図１６（ａ）に示されるように、被取付体４００はほぼ垂直に立てられた状態で、取付部３２０の開口部３３１に挿入される。
そして、図１６（ｂ）に示されるように、可撓固定部３１８のある方向に回転される。
この回転時に、第３の面取部３３９が存在することによって、被取付体４００の被取付体角部４４６が筐体３０５に接触せずに回転が可能となる。
また、第３の面取部３３９は被取付体角部４４６を摺動させて、被取付体４００を取付部に導くという効果もある。
【００８０】
一方、第１の面取部４３９には、被取付体４００が導光する際に光の通過面積を広げ、導光効果を上げるという機能もある。
【００８１】
図１６（ｂ）の状態よりも、さらに被取付体４００を回移させると、第４の面取部３４１と第２の面取部４４８が接触することになる。
この二つの面の両方に面取りが行われていることによって、可撓固定部３１８が開口部３３１と反対側に撓むことが容易になる。そして、可撓固定部３１８が容易撓むということは、被取付体４００を容易に取り付けることができる。
【００８２】
図１６（ｃ）は、被取付体４００が取付部３２０に取り付けられている状態を示している。
図１６（ｃ）の様に、第１の当接部３２１は第１の被当接部４５１と接して被取付体４００が筐体３０５の内部に移動することを拘束している。
また、第２の当接部３２５は第２の被当接部４５２と接して、被取付体４００が筐体３０５の外部側に移動することを拘束している。
第２の当接部３２５は第２の被当接部４５２と接している部分の反対側、つまり、筐体３０５の内部側において、第２の被当接部４５２は可撓固定部３１８と接している。
つまり、第２の被当接部４５２は、可撓固定部３１８によって筐体３０５の内部側に移動が移動することが拘束されている。
【００８３】
図１７は、被取付体４００を取付部３２０に取り付けた状態の説明図である。
図１７（ａ）は、筐体３０５の内部側位置からみた図である。
図１７（ｂ）は、筐体３０５の外部側位置からみた図である。
図１７（ｃ）は、図１７（ａ）のｃ−ｃにおける断面図である。
図１７（ｄ）は、図１７（ａ）のｄ−ｄにおける断面図である。
【００８４】
以上の方法によって、被取付体４００は筐体３０５の内部側及び外部側に移動が拘束される。
このように、被取付体４００及び取付部３２０を形成したことによって、単純な形状によって被取付体４００及び取付部３２０を形成することができる。
さらに、被取付体４００を単に押し込むだけで筐体３０５に組み付けることができるので、組み付けが容易になる。
さらに、筐体３０５の内部側から被取付体４００を組付けているので、万一、可撓固定部３１８による被取付体４００の固定が外れてしまっても、筐体３０５の外部に被取付体４００が脱落してしまうおそれがない。
【００８５】
以上の実施形態によれば、本発明の携帯電話機１は、筐体３０５と、筐体３０５に取り付け可能な被取付体４００と、筐体３０５に形成され、被取付体４００が取り付け可能な取付部３２０と、を有している。
また、筐体３０５は、内外部を連通するように形成された開口部３３１を有している。
さらに、取付部３２０は、筐体３０５の外部側に開口部３３１に隣接して形成された第１の当接部３２１と、筐体３０５の内部に第１の当接部３２１と反対方向であって開口部３３１に形成された第２の当接部３２５と、有している。
さらに、筐体３０５は、第２の当接部３２５に形成され、被取付部の一端部を固定可能な弾性を有する可撓固定部３１８を含んでいる。
加えて、被取付体４００は、開口部３３１に挿通可能な主体部４５０と、主体部４５０の一側部の一端部に第１の外側方向に延設された第１の当接部３２１に当接可能な第１の被当接部４５１と、を有している。
また、被取付体４００は、主体部４５０の前記一側部と対向する他側部の、一端部と対向する他端部に第１の外側方向と逆方向の第２の外側方向に延設された第２の当接部３２５に当接可能な第２の被当接部４５２と、を含んでいる。
さらに、取付部３２０の可撓固定部３１８は、被取付体４００の第２の被当接部４５２の一端が前記弾性に抗して当接可能で、第２の被当接部４５２と前記第２の当接部３２５とが当接状態にあるときに第２の被当接部４５２の一部を固定する。
加えて、被取付体４００は、第２の被当接部４５２と第２の当接部３２５が当接状態にあるとき第１の被当接部４５１は前記第１の当接部３２１と当接状態にある。
このような構成によって、単純な形状によって被取付体４００及び取付部３２０を形成することができる。
さらに、被取付体４００を単に押し込むだけで筐体３０５に組み付けることができるので、組み付けが容易になるという効果がある。
さらに、筐体３０５の内部側から被取付体４００を組付けているので、万一、可撓固定部３１８による被取付体４００の固定が外れてしまっても、筐体３０５の外部に被取付体４００が脱落してしまうおそれがないという効果がある
【００８６】
主体部４５０と第２の被当接部４５２とが結合する部分には第１の面取部４３９が形成されており、開口部３３１と第２の当接部３２５とが結合する部分には第３の面取部３３９が形成されている。
このような構成によって、被取付体４００の被取付体角部４４６が筐体３０５に接触せずに回転が可能となり、円滑に被取付体４００を取付部３２０に組み付けられる。
また、第３の面取部３３９が被取付体角部４４６を摺動させて、被取付体４００を取付部３２０に導くことができる。
【００８７】
第２の被当接部４５２の第２の当接部３２５と接する面の主体部４５０とは反対方向位置には、第２の面取部４４８が形成されている。
また、可撓固定部３１８が被取付体４００と接する部分とは反対側の面の前記開口部３３１側の部分には、第４の面取部３４１が形成されている。
そして、第２の面取部４４８及び第４の面取部３４１は、被取付体４００が取付部３２０に取り付けられる際に、前記可撓固定部３１８が前記開口部３３１と反対方向に変形させる。
このような構成によって、可撓固定部３１８が開口部３３１と反対側に撓むことが容易になる。そして、可撓固定部３１８が容易に撓むということは、被取付体４００を容易に取り付けることができるという効果がある。
【００８８】
被取付体４００が取付部３２０に取り付けられた際に、筐体３０５の外部表面と被取付体４００の外部表面とが面一面となる。
このような構成によって、被取付体４００が取付部３２０に取り付けられても、筐体３０５の表面に凹凸や穴部が生じないという効果がある。
【００８９】
前記筐体３０５は内部に発光部材３４を有しており、前記被取付体４００は導光作用を持つ部材によって構成されている。
このような構成によって、インジケータ機能を有する導光部材１００を筐体３０５に容易に組み付けることができる。
【００９０】
本発明は、以上の実施形態に限定されず、種々の態様で実施されてよい。
【００９１】
具体的には、本発明の実施形態及び変形例で記載してきた、導光部材１００及び収納部２２の形状、並びに、被取付体４００及び取付部３２０はあくまで一例であって、導光部材１００または被取付体４００を固定することができるのであればどのような形状であってもよい。
【００９２】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００９３】
１…携帯電話機、２…第１筐体、３…第２筐体、４…第１筐体フロントケース、５…第１筐体リアケース（筐体）、６…第２筐体フロントケース、７…第２筐体リアケース、８…表示部、９…連結部、１０…入力部、１１…右側面、１２…左側面、１３…螺着部、
１４…連結部反対側固定部、１５…連結部側固定部、１６…表面側固定部分、１７…右側面側固定部分、１８…可撓固定体（可撓固定部）、２１…表面側固定面（第１の当接部）、２２…収納部（取付部）、２３…アーチ部、２４…平面部、２５…裏面側固定面（第２の当接部）、３０…連結部、３１…開口部、３４…発光部材、３９…面取部（第１の面取部）、４０…載置部、４１…挿入用面取部（第４の面取部）、
１００…導光部材（被取付体）、１０１…放射部、１１６…導光部材表面側固定部分、１１７…導光部材右側面側固定部分、１１９…受光面、１２１…導光部材表面側固定面、１２５…導光部材裏面側固定面、１３９…導光面取部、１４１…放射面、１４４…導光部内部面、１４５…内部面、１４６…角部（被取付体角部）、１４７…導光通路、１４８…可撓固定体用面取部（第２の面取部）、
２０１…回路基板、２０２…インサート板金、２０３…液晶パネル、２０４…飛散防止フィルム、２０５…ウインドウ、２０６…振動防止ラバー
３０５…筐体、３２０…取付部、３１８…可撓固定部、３２１…第１の当接部、３２５…第２の当接部、３３１…開口部、３３９…第３の面取部、３４１…第４の面取部、
４００…被取付体、４３９…第１の面取部、４４６…被取付体角部、４４８…第２の面取部、４５０…主体部、４５１…第１の被当接部、４５２…第２の被当接部
【図１】
2010232937.tif 000003
【図２】
2010232937.tif 000004
【図３】
2010232937.tif 000005
【図４】
2010232937.tif 000006
【図５】
2010232937.tif 000007
【図６】
2010232937.tif 000008
【図７】
2010232937.tif 000009
【図８】
2010232937.tif 000010
【図９】
2010232937.tif 000011
【図１０】
2010232937.tif 000012
【図１１】
2010232937.tif 000013
【図１２】
2010232937.tif 000014
【図１３】
2010232937.tif 000015
【図１４】
2010232937.tif 000016
【図１５】
2010232937.tif 000017
【図１６】
2010232937.tif 000018
【図１７】
2010232937.tif 000019